(57)【要約】【課題】コネクタを離脱する際に、レバーが初期位置に至ったことを明確に知ることが可能なレバー式コネクタを提供する。【解決手段】ハウジング１０と、前記ハウジング１０と嵌合する相手側ハウジング４０と、初期位置から嵌合完了位置への回動操作により前記一対のハウジング１０，４０相互の嵌合が可能で、前記嵌合完了位置から前記初期位置への回動操作により前記一対のハウジング１０，４０相互の離脱が可能なレバー２０と、前記レバ２０ーに設けられ、前記レバー２０が前記嵌合完了位置から前記初期位置へ移動する際に前記相手側ハウジング４０に設けられたカムピン４１と接触して前記レバー２０の回動操作に抵抗を生じさせる回動抵抗部２８と、を備えている。【選択図】図５
2016181329.tif 000002
【特許請求の範囲】
【請求項１】
ハウジングと、
前記ハウジングと嵌合する相手側ハウジングと、
初期位置から嵌合完了位置への回動操作により前記一対のハウジング相互の嵌合が可能で、前記嵌合完了位置から前記初期位置への回動操作により前記一対のハウジング相互の離脱が可能なレバーと、
前記レバーに設けられ、前記レバーが前記嵌合完了位置から前記初期位置へ移動する際に前記相手側ハウジングに設けられたカムピンと接触して前記レバーの回動操作に抵抗を生じさせる回動抵抗部と、
を備えているレバー式コネクタ。
【請求項２】
前記レバーが前記初期位置に至ると前記ハウジングまたは前記相手側ハウジングに衝突するものとされている請求項１に記載のレバー式コネクタ。
【請求項３】
前記回動抵抗部が、前記レバーのカム溝に形成された弾性片に設けられた突起である請求項１または請求項２に記載のレバー式コネクタ。
【請求項４】
前記相手側ハウジングが、前記ハウジングを少なくとも部分的に覆うフード部を備え、
前記レバーが前記初期位置に至ると前記フード部に衝突するものとされている請求項１ないし請求項３のいずれか一項に記載のレバー式コネクタ。
【発明の詳細な説明】
【技術分野】
【０００１】
本発明は、レバー式コネクタに関する。
【背景技術】
【０００２】
従来、ハウジングに取り付けられたレバーを回動操作することにより、レバーに設けられたカム溝と相手側ハウジングに設けられたカムピンとの係合作用によって相手側ハウジングとの嵌合・離脱がなされるレバー式コネクタが知られている（例えば下記特許文献１に記載）。このコネクタは、レバーを初期位置から嵌合完了位置に回動操作することにより嵌合がなされ、レバーを嵌合完了位置から初期位置に回動操作することにより離脱がなされるようになっている。
【先行技術文献】
【特許文献】
【０００３】
【特許文献１】特開平１０−８３８５９号公報
【発明の概要】
【発明が解決しようとする課題】
【０００４】
ところで上記のような構成のコネクタには、コネクタを離脱する際に、レバーが初期位置に至ったことを明確に知らせる手段が設けられていない。このため、レバーの回動操作が完了したか否かがわかりにくく、レバーが初期位置に至っていない途中の段階でコネクタを離脱しようとして無理矢理引っ張ってしまう虞がある。
【０００５】
本発明は上記のような事情に基づいて完成されたものであって、コネクタを離脱する際に、レバーが初期位置に至ったことを明確に知ることが可能なレバー式コネクタを提供することを目的とする。
【課題を解決するための手段】
【０００６】
本発明のレバー式コネクタは、ハウジングと、前記ハウジングと嵌合する相手側ハウジングと、初期位置から嵌合完了位置への回動操作により前記一対のハウジング相互の嵌合が可能で、前記嵌合完了位置から前記初期位置への回動操作により前記一対のハウジング相互の離脱が可能なレバーと、前記レバーに設けられ、前記レバーが前記嵌合完了位置から前記初期位置へ移動する際に前記相手側ハウジングに設けられたカムピンと接触して前記レバーの回動操作に抵抗を生じさせる回動抵抗部と、を備えている。
【発明の効果】
【０００７】
本発明によれば、作業者が、レバーを嵌合完了位置から初期位置に回動する際に、回動抵抗部において生じる抵抗力を感じることができる。これにより、コネクタを離脱する際に、レバーが初期位置に至ったことを明確に知ることができる。
【図面の簡単な説明】
【０００８】
【図１】本実施例におけるコネクタの嵌合状態を表す断面図
【図２】レバーを表す正面図
【図３】レバーを表す断面図であって、図２のＡ−Ａ位置における断面に相当する断面図
【図４】回動抵抗部を表すレバーの一部拡大断面図であって、図３のＢ−Ｂ位置における断面に相当する断面図
【図５】回動抵抗部がカムピンに当接した状態のコネクタを表す一部切欠側面図
【図６】回動抵抗部がカムピンに接触して変位する様子を表すコネクタの一部拡大断面図であって、図５のＣ−Ｃ位置における断面に相当する断面図
【図７】コネクタの離脱状態を表す断面図
【発明を実施するための形態】
【０００９】
本発明の好ましい形態を以下に示す。
本発明のレバー式コネクタは、前記レバーが前記初期位置に至ると前記ハウジングまたは前記相手側ハウジングに衝突するものとしてもよい。このような構成によれば、衝突音もしくはレバーがそれ以上回動しないことによって、レバーが初期位置に至ったことを作業者が明確に知ることができる。
本発明のレバー式コネクタは、前記回動抵抗部が、前記レバーのカム溝に形成された弾性片に設けられた突起であるものとしてもよい。
【００１０】
また、本発明のレバー式コネクタは、前記相手側ハウジングが、前記ハウジングを少なくとも部分的に覆うフード部を備え、前記レバーが前記初期位置に至ると前記フード部に衝突するものとしてもよい。このような構成によればフード部内で音が反響するから、より大きな衝突音を生じさせることができる。
【００１１】
＜実施例＞
以下、本発明を具体化した一実施例について、図１〜図７を参照しつつ詳細に説明する。
本実施例におけるレバー式コネクタ（以後、単にコネクタＣと称する）は、ハウジング１０に取り付けられたレバー２０を回動操作することにより、レバー２０に設けられたカム溝２１と相手側ハウジング４０に設けられたカムピン４１との係合作用によって相手側ハウジング４０との嵌合・離脱がなされるものである。このコネクタＣは、レバー２０を初期位置から嵌合完了位置に回動することにより嵌合がなされ、レバー２０を嵌合完了位置から初期位置に回動することにより離脱がなされるようになっている。以下、各構成部材において、両ハウジング１０，４０における嵌合面側をそれぞれ前方とし、また、図１の上側を上方、下側を下方として説明する。
【００１２】
相手側ハウジング４０は、略筒状をなして前方に開口するフード部４２を備えている。フード部４２の両側壁には、円柱状をなすカムピン４１がそれぞれ側方に突き出るように形成されている。
【００１３】
相手側ハウジング４０には、雄型の端子金具（以後、相手側端子金具４３と称する）が複数備えられている。相手側端子金具４３は、導電性の金属板材を曲げ加工等して成形され、全体として前後方向に細長い形状をなしている。相手側端子金具４３は、電線Ｗの端末部に接続され、前端部には、雌型の端子金具１３に接触して接続されるタブ部４４が設けられている（図７参照）。相手側端子金具４３は、フード部４２の奥面４５からタブ部４４を前方に突出させた状態で、相手側ハウジング４０に収容されて保持されている。
【００１４】
ハウジング１０は、相手側ハウジング４０のフード部４２の内側に嵌合する本体部１１と、フード部４２の外側に嵌合する外筒部１２とを備えている。
本体部１１には、相手側端子金具４３と接続可能な端子金具１３が複数収容されている。端子金具１３は、導電性の金属板材を曲げ加工等して成形され、全体として前後方向に細長い形状をなしている。端子金具１３は電線Ｗの端末部に接続され、前端部には、相手側端子金具４３のタブ部４４に接触して接続される端子接続部１４が設けられている。端子接続部１４は、前方からタブ部４４を挿入可能な角筒状に形成されている。
【００１５】
外筒部１２は、本体部１１の外周面の略全体を覆う筒状をなし、本体部１１と外筒部１２との間にフード部４２が嵌合される。外筒部１２の両側壁には、レバー２０を回動可能に支持する支持軸１５が突設されている。
また、外筒部１２には、嵌合完了位置に至ったレバー２０に係止して、レバー２０を嵌合完了位置にロックするロック部１６が設けられている。
【００１６】
レバー２０は、ハウジング１０を幅方向に跨ぐようにして取付可能な門型形状をなしている（図２参照）。レバー２０は、ハウジング１０の両側面に沿って配される一対のカム板部２２と、一対のカム板部２２に架け渡された形態の回動操作部２３とを有している。
【００１７】
カム板部２２には、支持軸１５が嵌合可能な軸受孔２４が設けられている（図３参照）。
また、カム板部２２には、カムピン４１が係合するカム溝２１が形成されている。カム溝２１は、一対のカム板部２２の対向面（内側面）に凹み形成されている。カム溝２１の一端は、カム板部２２の外周面に開口し、カムピン４１の出入りが可能な出入り口２５となっている。
【００１８】
カム溝２１の出入り口２５は、図７に示すように、レバー２０が初期位置に配された状態では前側を向いている。そして、カム溝２１のうち出入り口２５の奥には、レバー２０が初期位置に配された状態において前方から入ってきたカムピン４１が突き当たる壁部３４が形成されている（図３参照）。
【００１９】
また、カム溝２１には、レバー２０が初期位置に配された状態において壁部３４に沿って下方に拡幅された形態をなす部分（以後、溝端部２６と称する）が形成されている（図３参照）。カム溝２１のうち溝端部２６よりも奥側の部分は、レバー２０が初期位置に配された状態において斜め下方に緩い勾配をなして下がり、その端部は、軸受孔２４の近傍に至っている。
【００２０】
レバー２０は、図１に示すように、嵌合完了位置に配されたときにハウジング１０のロック部１６に係止可能なロック片２７を有している。ロック片２７は、回動操作部２３の幅方向における中央部に弾性変位可能な形態で設けられている。ロック片２７は、レバー２０が嵌合完了位置に近づくとロック部１６に当接して弾性撓みし、レバー２０が嵌合完了位置に至るとロック部１６を乗り越えて弾性復帰し、ロック部１６に係止する。ロック片２７がロック部１６に係止することにより、レバー２０が初期位置に戻ることが規制される。
【００２１】
レバー２０は、初期位置に配されたときには、図７に示すように、回動操作部２３がハウジング１０の上面の前端縁の近傍に配される姿勢をとる。そして、コネクタＣを離脱する際に、レバー２０が回動操作されて嵌合完了位置から初期位置に至ると、回動操作部２３が相手側ハウジング４０のフード部４２に衝突するようになっている。詳しくは、回動操作部２３のうちレバー２０の離脱操作時の回動方向における前端部が、フード部４２の上面のうち奥面４５に近い部分に衝突する。
【００２２】
そして、レバー２０には、嵌合完了位置から初期位置に至る途中の段階で、カムピン４１と接触してレバー２０の回動操作に抵抗を生じさせる回動抵抗部２８が設けられている（図５参照）。
【００２３】
回動抵抗部２８は、一対のカム板部２２の両方に設けられている。回動抵抗部２８は、図３に示すように、カム溝２１に弾性変位可能に形成された弾性片２９に設けられている。弾性片２９は、カム溝２１の底壁３３に門型に形成されたスリット３１に囲まれて片持ち状に形成されている。弾性片２９は、カム溝２１の溝端部２６に形成され、レバー２０が初期位置に配された状態において上下方向に長い形状をなし、下端側が固定端、上端側が自由端とされている。弾性片２９は、カム板部２２の板厚方向に弾性変位可能とされている。
【００２４】
回動抵抗部２８は、弾性片２９の先端部（自由端）に突設された突起であり、壁部３４の前方に配されている。回動抵抗部２８は弾性片２９の先端部の幅全体に形成され、図３に示すように、弾性片２９の幅方向に長い長方形状をなしている。回動抵抗部２８のうちコネクタＣの離脱操作時にカムピン４１に最初に当接する面は、図６に示すように、若干傾斜して立つ傾斜面３２とされている。回動抵抗部２８の突出端面は、カム溝２１の底壁３３と略平行をなす平坦な面とされている。また、回動抵抗部２８のうち傾斜面３２とは反対側の面は、カム溝２１の底壁３３に対して略垂直をなして切り立った面とされている。この切り立った面は、弾性片２９の先端面に段差なく連なっている。
【００２５】
次に、本実施例のコネクタＣの嵌合・離脱作業の一例を説明する。
コネクタＣを嵌合する場合には、ハウジング１０のレバー２０を初期位置に保持して、相手側ハウジング４０に押し込む。すると、図７に示すように、カムピン４１がカム溝２１の出入り口２５を通ってカム溝２１内に取り込まれ、壁部３４に突き当たった状態になる。この状態においては、回動抵抗部２８は、カムピン４１に押されて外側に変位している。なお、この状態は、相手側ハウジング４０のフード部４２の奥面４５とハウジング１０の本体部１１の前面とが大きく離間し、その間に相手側端子金具４３のタブ部４４が配された状態、すなわちコネクタＣを引き離して離間可能な状態（コネクタＣの離脱状態）である。
【００２６】
この状態からレバー２０を図７で見て時計回りに回動させると、カム溝２１に沿ってカムピン４１が誘導され、両ハウジング１０，４０が次第に引き寄せられる。これに伴って、相手側端子金具４３のタブ部４４が端子金具１３の端子接続部１４に徐々に挿入される。そして、図１に示すように、レバー２０が嵌合完了位置に至るとコネクタＣが正規の嵌合状態になり、ロック片２７がロック部１６に係止してロックされる。コネクタＣの正規の嵌合状態においては、相手側端子金具４３のタブ部４４の略全体が端子金具１３の端子接続部１４に挿入され、ハウジング１０の本体部１１の前面がフード部４２の奥面４５に近接もしくは当接した状態になる。
以上により、コネクタＣの嵌合作業が完了する。
【００２７】
一方、コネクタＣを離脱する場合には、ロック片２７を撓ませてロック部１６との係合を解除し、レバー２０を図１で見て反時計回りに回動させる。すると、カム溝２１に沿ってカムピン４１が誘導され、両ハウジング１０，４０が次第に離れていく。そして、レバー２０が初期位置に近づくと、図５に示すように、カムピン４１がカム溝２１の溝端部２６の下部に位置し、回動抵抗部２８の傾斜面３２がカムピン４１に当接する。そこで、作業者が、レバー２０を操作する力を増してレバー２０を回動操作すると、図６に示すように、回動抵抗部２８とカムピン４１との接触によって弾性片２９が外側に撓み回動抵抗部２８がカムピン４１の外側に変位し、レバー２０は初期位置に至る（図７参照）。そして、レバー２０の回動操作部２３がフード部４２に強い勢いで衝突し、衝突音がフード部４２内に響いて大きな衝突音が作業者に聞こえる。これにより、作業者は、レバー２０が初期位置に至ってコネクタＣが離脱状態になったことを知ることができる。そして、両ハウジング１０，４０をそれぞれ後方に引き出してコネクタＣを離間する。
以上により、コネクタＣの離脱作業が完了する。
【００２８】
次に、上記のように構成された実施例の作用および効果について説明する。
本実施例におけるコネクタＣは、ハウジング１０と、ハウジング１０と嵌合する相手側ハウジング４０と、初期位置から嵌合完了位置への回動操作により一対のハウジング１０，４０相互の嵌合が可能で、嵌合完了位置から初期位置への回動操作により一対のハウジング１０，４０相互の離脱が可能なレバー２０と、を備え、レバー２０には、嵌合完了位置から初期位置へ移動する際に相手側ハウジング４０に設けられたカムピン４１と接触してレバー２０の回動操作に抵抗を生じさせる回動抵抗部２８が備えられている。
【００２９】
この構成によれば、作業者が、レバー２０を嵌合完了位置から初期位置に回動する際に、回動抵抗部２８において生じる抵抗力を感じることができるから、コネクタＣを離脱する際に、レバー２０が初期位置に至ったことを明確に知ることができる。
【００３０】
また、レバー２０が初期位置に至ると相手側ハウジング４０に衝突するものとされている。この構成によれば、衝突音もしくはレバー２０がそれ以上回動しないことによって、レバー２０が初期位置に至ったことを作業者が明確に知ることができる。
【００３１】
また、相手側ハウジング４０が、ハウジング１０を少なくとも部分的に覆うフード部４２を備え、レバー２０が初期位置に至るとフード部４２に衝突するようになっている。この構成によれば、フード部４２内で音が反響するから、より大きな衝突音を生じさせることができる。
【００３２】
＜他の実施例＞
本発明は上記記述及び図面によって説明した実施例に限定されるものではなく、例えば次のような実施例も本発明の技術的範囲に含まれる。
（１）上記実施例では、回動抵抗部２８が弾性片２９に設けられているが、これに限らず、回動抵抗部２８はカムピン４１との接触によって回動操作に抵抗を生じさせるものであればどのような形態であってもよく、例えば、回動抵抗部はカムピンとの接触により抵抗を生じさせる斜面を有してカム溝の壁面に膨出形成されたものであってもよい。
（２）上記実施例では、レバー２０が初期位置に至るとフード部４２に衝突するようになっているが、これに限らず、レバーの衝突部位はどこであってもよく、例えばレバーがハウジングの外筒部に衝突するようにしてもよい。
（３）上記実施例では、レバー２０が初期位置に配されているときには、回動抵抗部２８がカムピン４１に押されて変位した状態になっているが、これに限らず、例えば回動抵抗部を上記実施例よりもカム溝の奥方に設け、レバーが初期位置に配されているときには回動抵抗部がカムピンを通り越して弾性片が弾性復帰し元の位置に戻っているものとしてもよい。
【符号の説明】
【００３３】
Ｃ…コネクタ（レバー式コネクタ）
１０…ハウジング
２０…レバー
２１…カム溝
２８…回動抵抗部
２９…弾性片
４０…相手側ハウジング
４１…カムピン
４２…フード部
【図１】
2016181329.tif 000003
【図２】
2016181329.tif 000004
【図３】
2016181329.tif 000005
【図４】
2016181329.tif 000006
【図５】
2016181329.tif 000007
【図６】
2016181329.tif 000008
【図７】
2016181329.tif 000009